Podtech/llm-jp-corpus-v4-ja_patent huggingface dataset:
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2005506434.tif 000001
（式中、Ｍ1は、Ｈ2、Ｃｕ、Ｚｎ、Ｆｅ、Ｎｉ、Ｐｄ、ＶＯ、ＭｎＯおよびＴｉＯからなる群から選択されるものであり、そしてＸ1〜Ｘ16はＨ、ＢｒまたはＣｌであり、Ｘ1〜Ｘ16の少なくとも一つはＣｌである）
のフタロシアニン；またはその混合物；
式（II）、（III）、（IV）および（Ｖ）：
【化２】
2005506434.tif 000002
（式中、ｍは０または１であり、ｎは１または２であり、
Ｂ1は
【化３】
2005506434.tif 000003
であり、
Ｂ2およびＢ3は、互いに独立に、ＣＮ、ＣＯＮＲ6Ｒ7またはＣＯＮＲ6Ａｒ1であり、
Ｒ1およびＲ2は、互いに独立に、Ｃｌ、Ｒ6またはＯＲ6であり、
Ｒ3、Ｒ4およびＲ5は、互いに独立に、Ｈ、Ｆ、Ｃｌ、Ｒ6、ＣＦ3、ＯＲ6、ＣＯＮＲ6Ｒ7、ＣＯＮＲ6Ａｒ1、ＳＯ2ＮＲ6Ｒ7またはＳＯ2ＮＲ6Ａｒ1であり、そして
Ｒ6およびＲ7は、Ｈ、Ｃ1〜Ｃ8アルキルまたはＣ5〜Ｃ8シクロアルキルであり、
Ａｒ1は、非置換であるか、またはＦ、Ｂｒ、Ｃｌ、Ｒ6、ＣＦ3、ＯＲ6、ＣＯＯＲ6、ＣＮ、ＣＯＮＲ6Ｒ7またはＣＯＮＲ6Ａｒ3よりなる群から独立に選択される１〜５個の置換基で置換された、フェニル、ベンジル、ビフェニル、ナフチル、フェノキシフェニル、フェニルチオフェニルまたはカルバゾリルであり、
Ａｒ2は、ｎが１のとき、フェニル、ベンジル、ビフェニル、ナフチル、フェノキシフェニル、フェニルチオフェニルまたはカルバゾリルであり、ｎが２のとき、それぞれフェニレン、ビフェニレン、ナフチレン、オキシジフェニル、チオジフェニルまたはカルバゾリレンであり、それらの各々は、非置換であるか、またはＦ、Ｂｒ、Ｃｌ、Ｒ6、ＣＦ3、ＯＲ6、ＣＯＯＲ6、ＣＮ、ＣＯＮＲ6Ｒ7、ＣＯＮＲ6Ａｒ3、ＮＲ6ＣＯＲ7、ＮＲ6ＣＯＡｒ3、ＮＲ6ＳＯ2Ｒ7、ＮＲ6ＳＯ2Ａｒ3、ＮＯ2、ＳＯ2ＮＲ6Ａｒ3、ＳＯ3Ｍ2またはＣＯＯＭ2（ここで、Ｍ2はＨ、Ｎａ、Ｌｉ、Ｋ、Ｃａ1/2、Ｓｒ1/2、Ｂａ1/2，Ｍｇ1/2または、ＮＨ4+または一級、二級、三級もしくは四級アンモニウムで中和された陰電荷である）よりなる群から独立に選択される１〜５個の置換基で置換されており、そして
Ａｒ3は、非置換であるか、またはＦ、Ｂｒ、Ｃｌ、Ｒ6、ＣＦ3、ＯＲ6またはＮＯ2よりなる群から独立に選択される１〜５個の置換基で置換された、フェニル、ベンジル、ビフェニル、ナフチル、フェノキシフェニル、フェニルチオフェニルまたはカルバゾリルである）
の化合物並びにそれらの互変異性体から選択される化合物または化合物の混合物；
摩砕助剤；並びに
有機液体
を含む混合物を、−２０〜１８０℃で剪断力に付することを含む、顔料形態の着色剤組成物の製造方法。
【請求項２】
剪断力が３００〜２０，０００ｓ-1の剪断率で特徴付けられる、請求項１の方法。
【請求項３】
式（II）、（III）、（IV）および／または（Ｖ）の粗製化合物が、無機塩と一緒に、少なくとも１０ｍ／ｓの接線速度を有するローターの作用のような非常に高い加速度に付され、そのため摩擦効果により、温度が少なくとも８０℃の温度に達し、そして少なくとも６０ｍ2／ｇの表面積を有する微粒子が得られる、付加的な予備工程を含む、請求項１または２記載の方法。
【請求項４】
式（Ｉ）の化合物が、無機塩と一緒に、少なくとも１０ｍ／ｓの接線速度を有するローターの作用のような非常に高い加速度に付され、そのため摩擦効果により、温度が少なくとも８０℃の温度に達し、そして少なくとも６０ｍ2／ｇの表面積を有する微粒子が得られる、付加的な予備工程を含む、請求項３記載の方法。
【請求項５】
請求項１、２、３または４記載の方法で得られる顔料。
【請求項６】
（ａ）請求項５に記載の顔料を、（ａ）と（ｂ）の合計に対して、０．０５〜７０重量％、および
（ｂ）高分子量有機材料を、（ａ）と（ｂ）の合計に対して、９９．９５〜３０重量％、
含む練り込み着色高分子量有機材料。
【請求項７】
カラーフィルターまたは印刷物である、請求項６記載の材料。
【請求項８】
印刷インク濃縮物用の、請求項５に記載の顔料を含む印刷インク。
【請求項９】
電気光学系における、特に、ＴＶスクリーン、液晶ディスプレイ、電荷結合デバイス、プラズマディスプレイまたはエレクトロルミネセントディスプレイにおける、請求項７に記載のカラーフィルターの使用。
【手続補正２】
【補正対象書類名】明細書
【補正対象項目名】００２２
【補正方法】変更
【補正の内容】
【００２２】
（式中、Ｍ1は、Ｈ2、Ｃｕ、Ｚｎ、Ｆｅ、Ｎｉ、Ｐｄ、ＶＯ、ＭｎＯおよびＴｉＯからなる群から選択されるものであり、そしてＸ1〜Ｘ16はＨ、ＢｒもしくはＣｌであり、Ｘ1〜Ｘ16の少なくとも一つはＣｌである）のフタロシアニン；またはそれらの混合物；
式（II）、（III）、（IV）および（Ｖ）：
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
Ａ）ポリアミド５５〜９０質量部、
Ｂ）グラフトポリマー０.５〜５０質量部、および
Ｃ）異方性粒子ジオメトリの鉱物粒子０.１〜３０質量部
を含み、
エチレン-プロピレンゴムまたはエチレン-プロピレンおよび非共役ジエンをベースとするゴムをベースとするグラフトポリマーはグラフトベースとして除かれており、全ての成分の質量部合計が１００に規格化されている
組成物。
【請求項２】
混和剤をさらなる成分Ｄ）として含む、請求項１に記載の組成物。
【請求項３】
ビニル(コ)ポリマーを含む、請求項１または２に記載の組成物。
【請求項４】
１を超えるアスペクト比を有する鉱物粒子を含む、請求項１〜３のいずれかに記載の組成物。
【請求項５】
鉱物粒子が、ベントナイト、ウォラストナイト、マイカ、カオリン、ハイドロタルサイト、ヘクトライトおよびモンモリロナイトからなる群から選ばれる少なくとも１種である請求項１に記載の組成物。
【請求項６】
Ｂ.１.１）スチレン、α-メチルスチレン、環上でハロゲンまたはアルキルにより置換されているスチレンおよび(メタ)アクリル酸Ｃ1〜Ｃ8アルキルエステル、並びに
Ｂ.１.２）不飽和ニトリル、(メタ)アクリル酸Ｃ1〜Ｃ8アルキルエステルおよび不飽和カルボン酸誘導体
から選ばれる少なくとも１種のモノマーと、
グラフトベースとの、ガラス転移温度≦１０℃を有するグラフトポリマーを含む、請求項１〜５のいずれかに記載の組成物。
【請求項７】
ビニル(コ)ポリマー、防炎加工剤、液だれ防止剤、成分Ｃとは異なるフィラーおよび強化物質、並びに添加剤からなる群から選ばれる、少なくとも１種のさらなる成分を含む、請求項１〜６のいずれかに記載の組成物。
【請求項８】
請求項１〜７のいずれかに記載の組成物から得ることができる成形品。
【請求項９】
オンラインラッカー塗に付される成形品を製造するための、
Ａ）ポリアミド５５〜９０質量部、
Ｂ）グラフトポリマー０.５〜５０質量部、および
Ｃ）異方性粒子ジオメトリの鉱物粒子０.１〜３０質量部
を含む組成物の使用。
【請求項１０】
Ａ）ポリアミド５５〜９０質量部、
Ｂ）グラフトポリマー０.５〜５０質量部、および
Ｃ）異方性粒子ジオメトリの鉱物粒子０.１〜３０質量部
を含む組成物から得ることができる、オンラインラッカー塗に付された成形品。
【手続補正２】
【補正対象書類名】明細書
【補正対象項目名】００５２
【補正方法】変更
【補正の内容】
【００５２】
オンラインラッカー塗において実施例２の物質は、全ラッカー塗ラインを通過した。その後の試験は、比較例１の場合よりも良好な靱性、等しく良好な表面特性、およびより良好な収縮性という結果であった。
以下、本発明及び好ましい態様を示す。
１．Ａ）ポリアミド５５〜９０質量部、
Ｂ）グラフトポリマー０.５〜５０質量部、および
Ｃ）異方性粒子ジオメトリの鉱物粒子０.１〜３０質量部
を含み、
エチレン-プロピレンゴムまたはエチレン-プロピレンおよび非共役ジエンをベースとするゴムをベースとするグラフトポリマーはグラフトベースとして除かれており、全ての成分の質量部合計が１００に規格化されている
組成物。
２．混和剤をさらなる成分Ｄ）として含む、前記第１項に記載の組成物。
３．混和剤０.５〜５０質量部を含む、前記第２項に記載の組成物。
４．ビニル(コ)ポリマーを含む、前記第１〜３項項のいずれかに記載の組成物。
５．３０質量部までのビニル(コ)ポリマーを含む、前記第４項に記載の組成物。
６．１を超えるアスペクト比を有する鉱物粒子を含む、前記第１〜５項のいずれかに記載の組成物。
７．２を超えるアスペクト比を有する鉱物粒子を含む、前記第６項に記載の組成物。
８．５を超えるアスペクト比を有する鉱物粒子を含む、前記第７項に記載の組成物。
９．小板状または繊維状である鉱物粒子を含む、前記第１〜８項のいずれかに記載の組成物。
１０．鉱物粒子が、層状または繊維状ジオメトリを有するタルク、シリケートおよびアルミノシリケートからの少なくとも１種から選ばれている前記第１〜９項のいずれかに記載の組成物。
１１．鉱物粒子が、ベントナイト、ウォラストナイト、マイカ、カオリン、ハイドロタルサイト、ヘクトライトおよびモンモリロナイトからなる群からの少なくとも１種から選ばれている前記第１０項に記載の組成物。
１２．酸化マグネシウム含有量２８〜３５質量％および二酸化ケイ素含有量５５〜６５質量％を有するタルクを、鉱物粒子として含む前記第１０項に記載の組成物。
１３．平均粒度ｄ50＜１０μｍを有するタルクを含む、前記第１〜１１項のいずれかに記載の組成物。
１４．少なくとも１種のビニルモノマーと少なくとも１種のグラフトベースとのガラス転移温度≦１０℃を有するグラフトポリマーを含む、前記第１〜１３項のいずれかに記載の組成物。
１５．Ｂ.１.１）スチレン、α-メチルスチレン、環上でハロゲンまたはアルキルにより置換されているスチレンおよび(メタ)アクリル酸Ｃ1〜Ｃ8アルキルエステル、並びに
Ｂ.１.２）不飽和ニトリル、(メタ)アクリル酸Ｃ1〜Ｃ8アルキルエステルおよび不飽和カルボン酸誘導体
から選ばれる少なくとも１種のモノマーと、
グラフトベースとの、ガラス転移温度≦１０℃を有するグラフトポリマーを含む、前記第１〜１３項のいずれかに記載の組成物。
１６．グラフトベースが、ジエンゴム、ジエンゴムコポリマー、アクリレートゴム、ポリウレタンシリコーン-、クロロプレン-およびエチレン／酢酸ビニル-ゴムからなる群からの少なくとも１種のゴムから選ばれている前記第１〜１５項のいずれかに記載の組成物。
１７．グラフトベースが、ジエンゴム、ジエンおよびビニルモノマーのコポリマー、またはこれらの混合物から選ばれている前記第１６項に記載の組成物。
１８．ビニル(コ)ポリマー、防炎加工剤、液だれ防止剤、成分Ｃとは異なるフィラーおよび強化物質、並びに添加剤からなる群から選ばれる、少なくとも１種のさらなる成分を含む、前記第１〜１７項のいずれかに記載の組成物。
１９．成形品を製造するための前記第１〜１８項のいずれかに記載の組成物の使用。
２０．前記第１〜１８項のいずれかに記載の組成物から得ることができる成形品。
２１．オンラインラッカー塗に付された前記第１〜１８項のいずれかに記載の自動車外部部品。
２２．オンラインラッカー塗に付される成形品を製造するための、
Ａ）ポリアミド５５〜９０質量部、
Ｂ）グラフトポリマー０.５〜５０質量部、および
Ｃ）異方性粒子ジオメトリの鉱物粒子０.１〜３０質量部
を含む組成物の使用。
２３．Ａ）ポリアミド５５〜９０質量部、
Ｂ）グラフトポリマー０.５〜５０質量部、および
Ｃ）異方性粒子ジオメトリの鉱物粒子０.１〜３０質量部
を含む組成物から得ることができる、オンラインラッカー塗に付された成形品。
２４．オンラインラッカー塗に付された前記第２３項に記載の自動車外部部品。
【手続補正書】
【提出日】平成17年9月7日(2005.9.7)
【手続補正１】
【補正対象書類名】明細書
【補正対象項目名】００３４
【補正方法】変更
【補正の内容】
【００３４】
ワックスおよびポリマー添加物はポリアミドを基準として０．１〜２．００重量％の量で使用するのが有利である。
【手続補正２】
【補正対象書類名】明細書
【補正対象項目名】００４３
【補正方法】変更
【補正の内容】
【００４３】
この試験のために、如何なる種類の離型剤も含有しておらずそしてそれ故に離型剤を後から添加せずには加工できない特別なポリアミド６を使用する。離型力は＞１００００Ｎである。潤滑剤お添加物をポリマー顆粒に混入し、二軸スクリュウー式押出機で配合し、次いで予備乾燥後に射出成形によって加工する。
【手続補正３】
【補正対象書類名】明細書
【補正対象項目名】００４９
【補正方法】変更
【補正の内容】
【００４９】
ポリアミドコンパウンドの光沢：
0.15phr のNylostab S-EED／0.15phr のモンタン酸カルシウム  ８９光沢単位    
比較：
潤滑剤不含のポリアミド６                                  ８７光沢単位
0.3phr のNylostab S-EED                                   ６５光沢単位  
0.3phr のモンタン酸カルシウム                             ７０光沢単位
特に工業用合成樹脂、例えばポリアミドを含有するマスターバッチの場合には、凝集する傾向がありそして分散性の弱い顔料を分散させるために、顔料を湿潤させるための分散助剤としてモンタンワックスを使用する。これは、特定のメッシュ幅のフィルターの上流での圧力増加を測定するいわゆる濾過圧試験によって量を決める。凝集体が大きければ大きい程、増加量が多く、従ってフィルターが塞がれる。顔料がより良好に分散されていればされている程、顔料はフィルターを良好に通過することができ、そして分散物が良好である。従って小さい濾過圧値は潤滑剤の良好な分散効果の目安として測定される［ｂａｒ／ｇ（顔料）］。
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
助剤物質の補助を得て互いに結合した、平均サイズ０．１ないし５０μのメラミンシアヌレート凝集体（ａｇｇｒｅｇａｔｅ)からなる易流動性難燃性メラミンシアヌレート凝集物（ａｇｇｌｏｍｅｒａｔｅ)であって、前記助剤物質は、前記凝集物の総重量に対して、０．１ないし１０重量％の濃度で存在し、４０℃より高い溶融温度又は軟化温度を有する有機助剤物質であることを特徴とする易流動性難燃性メラミンシアヌレート凝集物。
【請求項２】
前記有機助剤物質が、ポリビニルアルコール、ポリビニルピロリドン、ポリビニルカプロラクタムによって形成される系から選択されることを特徴とする請求項１記載の凝集物。
【請求項３】
メラミンシアヌレート凝集体及び助剤物質を含むスラリーを噴霧乾燥させる請求項１又は２に記載の凝集物の製造方法であって、前記噴霧乾燥したスラリーから形成された凝集物の一部を前記噴霧乾燥したスラリーに再度接触させること、及び前記助剤物質が４０℃より高い融点又は軟化点を有する有機助剤物質であることを特徴とする方法。
【手続補正書】
【提出日】平成17年9月7日(2005.9.7)
【手続補正１】
【補正対象書類名】特許請求の範囲
【補正対象項目名】請求項１２
【補正方法】変更
【補正の内容】
【請求項１２】
請求項８〜１１のいずれか１つに記載の錯形成系の生成に有用であって、かつ以下の式ＩＶを有する中間生成物。
ＳＰ＊−Ｔａｎ
式ＩＶ
［ＳＰ＊およびＴａｎは、それぞれ、二官能性スペーサーとタンニンとであり、二官能性スペーサーＳＰ＊は、その第２の官能基によってタンニンＴａｎに共有結合しているが、その第１の官能基はフリーである。］
【手続補正２】
【補正対象書類名】特許請求の範囲
【補正対象項目名】請求項１３
【補正方法】変更
【補正の内容】
【請求項１３】
請求項８〜１１のいずれか１つに記載の錯形成系を得るための方法であって、請求項１２に記載の中間生成物を形成し、次いで該中間生成物を固相担体に固定化するステップ、または請求項８〜１１において記載された二官能性スペーサーが付着した固相担体からなる中間生成物をタンニンと反応させるステップを含む前記方法。
【手続補正３】
【補正対象書類名】特許請求の範囲
【補正対象項目名】請求項１４
【補正方法】変更
【補正の内容】
【請求項１４】
媒体、好ましくは水媒体に含まれる荷電標的分子を除去するための方法であって、該方法が以下のステップを含む前記方法：
−請求項８〜１１のいずれか１つに記載の錯形成系、および標的分子を含む媒体を提供するステップ、
−錯形成系において、錯形成により前記標的分子を固定化するために前記錯形成系と前記媒体を混合し、それによって最終生成物を得るステップ、
−前記最終生成物をろ過または遠心分離によって媒体から除去するステップ、
−前記最終生成物の解離によって再利用の目的のために錯形成系および／または前記標的分子を回収するステップ。
【手続補正４】
【補正対象書類名】特許請求の範囲
【補正対象項目名】請求項１７
【補正方法】変更
【補正の内容】
【請求項１７】
請求項８〜１１のいずれか１つに記載の錯形成系、または請求項１２に記載の中間生成物、または食品産業、バイオテクノロジー、医薬品産業、冶金、電子産業、織物産業もしくは製紙産業、もしくは廃水処理において使用するための請求項１４〜１６のいずれか１つに記載の方法の利用。
【手続補正５】
【補正対象書類名】特許請求の範囲
【補正対象項目名】請求項１９
【補正方法】変更
【補正の内容】
【請求項１９】
遊離基捕捉剤、抗菌剤、または抗酸化剤としての請求項８〜１１のいずれか１つに記載の錯形成系の使用。
【手続補正書】
【提出日】平成17年10月6日(2005.10.6)
【手続補正１】
【補正対象書類名】特許請求の範囲
【補正対象項目名】請求項１３
【補正方法】変更
【補正の内容】
【請求項１３】
旋削、平削り、孔あけ、のこ引き、ミリング、研削、ブローチング、のみ入れ、ねじ−ねじ山切削、歯車ミリング、歯車切削、精密旋削、精密孔あけ、または精密ミリングによる機械加工のための、請求項１〜１１のいずれか１項に記載の方法により製造された成形品の使用。
【手続補正書】
【提出日】平成17年10月4日(2005.10.4)
【手続補正１】
【補正対象書類名】明細書
【補正対象項目名】０００９
【補正方法】変更
【補正の内容】
【０００９】
本発明の１つの実施態様において使用する第１級アルコールは、
式（I）:
Ｒ1ＯＨ      (I)
〔式中、Ｒ1は、６〜７２個の炭素原子を有するアルキル基であり、これは飽和または不飽和、直鎖または分枝であってもよい。〕
に相当する単官能性化合物である。式（I）で示される適当な第１級単官能性直鎖アルコールの例は、ヘキサノール、ヘプタノール、オクタノール、ノナノール、デカノール、ウンデカノール、ドデカノール、トリデカノール、テトラデカノール、ペンタデカノール、ヘキサデカノール、ヘプタデカノール、オクタデカノール、ノナデカノール、エイコサノール、ドコサノール、テトラコサノール、１０-ウンデセン-１-オール、オレイルアルコール、エライジルアルコール、リシノリルアルコール、リノレイルアルコール、リノレニルアルコール、ガドレイルアルコール、アラキドニルアルコール、エルシルアルコール、ブラシジルアルコールである。式（I）で示される適当な第１級単官能性分枝アルコールの例は、アルキル基中に少なくとも１つのメチル分枝を有するものであり、このメチル分枝は、例えばイソノニルアルコール、イソステアリルアルコールまたはイソトリデシルアルコール中のようにアルキル鎖中の任意の位置に存在し得る。他の適当な第１級単官能性分枝アルコールは、専門家に既知のゲルベアルコールであり、これは、脂肪アルコールの二量化により得ることができ、それらは、好ましくは２〜１８個の炭素原子を有する比較的長いアルキル基を末端ＣＨ2ＯＨ基に対してα-位に有することにより構造的に区別される。適当なゲルベアルコールは、２-ヘキシルデカノール、２-ブチルオクタノール、２-オクチルドデカノールおよび２-ヘキシルデシルパルミテート／ステアレート、２-エチルヘキサノールおよび２-プロピルヘプタノールである。
【手続補正２】
【補正対象書類名】明細書
【補正対象項目名】００１２
【補正方法】変更
【補正の内容】
【００１２】
基本的に重合中の反応時間は、適度の長さであり、通常２〜４８時間の範囲内である。既に述べたように反応は、好ましくは不活性ガス雰囲気中で行われ、形成される反応水は、系から連続的に除去される。この場合、さらなる水の脱離が無くなった時に反応終了に達する。このようにして、系にさらなる熱応力をかけないように、最小の必要な反応時間だけ調節することを確保できる。
【手続補正書】
【提出日】平成17年9月15日(2005.9.15)
【手続補正１】
【補正対象書類名】特許請求の範囲
【補正対象項目名】請求項７
【補正方法】変更
【補正の内容】
【請求項７】
前記金属合金支持体層が、鉄を７〜９８重量％含有する請求項６に記載の方法。
【手続補正２】
【補正対象書類名】特許請求の範囲
【補正対象項目名】請求項８
【補正方法】変更
【補正の内容】
【請求項８】
前記金属合金表面層が、肉盛溶接法により金属合金支持体層に付加される請求項６又は７に記載の方法。
【手続補正３】
【補正対象書類名】特許請求の範囲
【補正対象項目名】請求項１４
【補正方法】変更
【補正の内容】
【請求項１４】
冷却水用の区画を有する容器、冷却すべき熱ガスの入口、冷却したガスの出口、加熱水蒸気の出口、発生した水蒸気を保持するための収集空間、該冷却水用区画中に配置され、該冷却すべきガスの入口に流動可能に接続した少なくとも１つの主蒸発管、該発生した水蒸気を保持するための収集空間から発生水蒸気を取り出すための少なくとも１つの水蒸気管、及び新鮮水の入口を備え、該主蒸発管材料の内側は、鉄を０〜２０重量％、アルミニウムを０〜５重量％、珪素を０〜５重量％、クロムを２０〜５０重量％、及びニッケルを３５重量％以上含有する金属合金表面を有し、該表面層は、この表面層よりも機械的特性が良い金属合金支持体層で支持されている、熱ガスの温度低下に好適な熱交換器。
【手続補正４】
【補正対象書類名】特許請求の範囲
【補正対象項目名】請求項１５
【補正方法】変更
【補正の内容】
【請求項１５】
前記金属合金表面中のクロムの含有量が、２５重量％を超える請求項１４に記載の熱交換器。
【手続補正５】
【補正対象書類名】特許請求の範囲
【補正対象項目名】請求項１６
【補正方法】変更
【補正の内容】
【請求項１６】
前記金属合金表面が、アルミニウムを１〜５重量％含有する請求項１４又は１５に記載の熱交換器。
【手続補正６】
【補正対象書類名】特許請求の範囲
【補正対象項目名】請求項１７
【補正方法】変更
【補正の内容】
【請求項１７】
前記金属合金表面が、珪素を１〜５重量％含有する請求項１４〜１６のいずれか１項に記載の熱交換器。
【手続補正７】
【補正対象書類名】特許請求の範囲
【補正対象項目名】請求項１８
【補正方法】変更
【補正の内容】
【請求項１８】
前記金属合金表面が、チタン及び／又はＲＥＭを０〜２重量％含有する請求項１４〜１７のいずれか１項に記載の熱交換器。
【手続補正８】
【補正対象書類名】特許請求の範囲
【補正対象項目名】請求項１９
【補正方法】変更
【補正の内容】
【請求項１９】
前記金属合金表面層が、肉盛溶接法により金属合金支持体層に付加される請求項１４〜１８のいずれか１項に記載の熱交換器。
【手続補正９】
【補正対象書類名】明細書
【補正対象項目名】発明の名称
【補正方法】変更
【補正の内容】
【発明の名称】水素及び一酸化炭素含有ガスの温度低下方法、及び該方法に使用される熱交換器
【手続補正１０】
【補正対象書類名】明細書
【補正対象項目名】００１０
【補正方法】変更
【補正の内容】
【００１０】
金属合金の２つの層は、当業者に公知の方法で製造できる。このような金属合金複合体は、溶接張りの（ｍｏｕｎｔｅｄ）多層金属表面が得られる肉盛溶接法により作製することが好ましい。この方法は、本発明の金属合金表面を有する熱交換器に使用されるような扱い難い管状構造を作製できるので、好ましい。この方法は、表面層として使用される所望の金属合金が、まずガス噴霧化により噴霧化されて、該合金の粉末を形成することを特徴とする。この粉末の鉄含有量は、ほぼゼロであることが好ましい。この金属合金の層は、次に前記粉末のプラズマ粉末溶接による肉盛溶接により支持体金属合金上に付加される。溶接金属を機械加工すると、平坦な金属合金表面が得られる。金属合金表面の厚さは、１〜５ｍｍ、好ましくは１〜３ｍｍであってよい。金属合金層中の鉄含有量は、出発粉末が鉄を含有しない状況下でも鉄を含有する可能性があることが見い出された。これは、溶接中に支持体層から鉄が表面層に移行するためである。表面層中の最終鉄含有量が７重量％未満、好ましくは４重量％未満になるように、表面層への鉄の移行抑制に注意しなければならない。鉄の移行作用は、鉄含有量の少ない支持体層を用いる、層を厚くする、及び／又は層を２工程以上で付加することにより抑制できる。このような肉盛溶接法を行う好ましい方法は、ＥＰ−Ａ−１０４３０８４に記載されている。この刊行物は、参考のためここで援用した。この刊行物には、低級オレフィン、例えばエチレン及びプロピレンの製造を意図する水蒸気分解法用の耐コークス炉反応管を得る方法が記載されている。
【手続補正１１】
【補正対象書類名】明細書
【補正対象項目名】００１５
【補正方法】変更
【補正の内容】
【００１５】
本発明は、冷却水用の区画を有する容器、冷却すべき熱ガスの入口、冷却したガスの出口、加熱水蒸気の出口、発生した水蒸気を保持するための収集空間、該冷却水用区画中に配置され、該冷却すべきガスの入口に流動可能に接続した少なくとも１つの主蒸発管、該発生した水蒸気を保持するための収集空間から発生水蒸気を取り出すための少なくとも１つの水蒸気管、及び新鮮水の入口を備え、該主蒸発管材料の内側は、前記定義した金属合金表面を有し、該表面層は、前記定義した金属合金支持体層で支持されている、熱ガスの温度低下に好適な熱交換器にも関する。
【手続補正１２】
【補正対象書類名】明細書
【補正対象項目名】００１６
【補正方法】変更
【補正の内容】
【００１６】
この熱交換器は、好適には、“スーパーヒーターモジュール”として使用される少なくとも１つの副チューブ−シェル型熱交換容器を備える。この余分な容器は、発生した水蒸気が主蒸発管からの部分冷却されたガスに対し更に加熱できるように、冷却水用区画中に配置される。この実施態様で、冷却水という用語（特許請求の範囲でも使用）は、前記部分冷却ガスに対し冷却能力を有するガス状相での水を云う。このような装置の一例は、前記ＥＰ−Ａ−２５７７１９に記載されている。主蒸発管は、スーパーヒーターモジュールのチューブ側に流動可能に接続し、また発生水蒸気取出し用の水蒸気管は、スーパーヒーターモジュールのシェル側に流動可能に接続することが更に好ましい。
本発明を以下の非限定的実施例により説明する。
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
ローカルサイトに置かれた電子カメラ（１）を較正するための方法であって、
（ａ）前記カメラ（１）に光学刺激を提示（２０６）するステップと、
（ｂ）前記カメラ（１）によって前記光学刺激の少なくとも一つの画像を捕捉（２０７）するステップと、
（ｃ）前記少なくとも１つの画像を評価（２１１）するステップとを含み、
前記少なくとも１つの画像が電気通信手段（２５）を介して前記ローカルサイトから遠隔サイトに伝送（２０８）され、前記遠隔サイトの所で評価（２１１）される、ことを特徴とする方法。
【請求項２】
前記光学刺激が電気通信手段（２５）を介して前記遠隔サイトから前記ローカルサイトに伝送（２０４）される、ことを特徴とする請求項1記載の方法。
【請求項３】
前記光学刺激が少なくとも1つの画像から成り、前記カメラ（１）に、ビデオ或いはコンピュータモニタ、スライドプロジェクタ、透明或いはオーバヘッドプロジェクタ、プリントペーパプロジェクタ等の画像提示デバイス（３）によって提示（２０６）され、この画像提示デバイス（３）が前記ローカルサイトに配置される、ことを特徴とする請求項1或いは２記載の方法。
【請求項４】
前記少なくとも1つの画像を評価（２１１）するステップ（ｃ）の結果として、前記カメラの特性が満足できるものであるか否かが判断（２１２）される、ことを特徴とする請求項1から３のいずれかに記載の方法。
【請求項５】
前記カメラの特性が満足できないと判断（２１２）された場合は、前記カメラの特性に影響を与える新たなパラメータを決定（２１４）するために、請求項1から４に記載のいずれかの方法が繰り返られる、ことを特徴とする請求項４記載の方法。
【請求項６】
前記電気通信手段（２５）が電子及び／或いは光通信手段から成り、好ましくは、インターネット、リース或いは交換電話回線、或いは光データリンク等の世界的規模のデータ伝送網から成る、ことを特徴とする請求項1から５のいずれかに記載の方法。
【請求項７】
ローカルコントローラ/インタフェースデバイス（２）が前記ローカルサイトであって、前記カメラ（１）と前記電気通信手段（２５）との間に配置され、好ましくは、前記カメラ（１）に、出力データインタフェース（１２）と入力データインタフェース（２１）を介して接続される、ことを特徴とする請求項1から６のいずれかに記載の方法。
【請求項８】
前記ローカルコントローラ/インタフェースデバイス（２）が前記画像提示デバイス（３）を制御し、好ましくは、前記画像提示デバイス（３）にビデオインタフェース（２３）を介して接続される、ことを特徴とする請求項３或いは７記載の方法。
【請求項９】
エクスパート（４）が前記遠隔サイトに配置され、請求項１から１１のいずれかに記載の方法の遂行を制御し、このエクスパート（４）が人及び／或いは電子制御デバイスから成る、ことを特徴とする請求項1から８のいずれかに記載の方法。
【請求項１０】
電子カメラ（１）を較正するための装置であって、
前記電子カメラ（１）をローカルサイトに配置するための手段と、
ローカルサイトに配置されたビデオ或いはコンピュータモニタ、スライドプロジェクタ、透明或いはオーバヘッドプロジェクタ、或いはプリントペーパプロジェクタ等の画像提示デバイス（３）と、
前記カメラ（１）によって捕捉された画像を評価するための、電子制御デバイス等の手段（４）と、
前記カメラの特性に影響を及ぼすパラメータを前記画像の評価に基づいて決定するための、コンピュータ等の手段（４）とを備え、
前記画像評価手段（４）及び前記パラメータ決定手段（４）が前記ローカルサイトから遠く離れた遠隔サイトに配置され、
前記ローカルサイトと前記遠隔サイトが双方向電気通信手段（２５）によって接続され、この電気通信手段（２５）が、好ましくは、電子及び/或いは光通信手段から成り、この電子及び/或いは光通信手段が、好ましくは、インターネット、リース或いは交換電話回線或いは光データリンク等の世界的規模のデータ伝送網から成る、ことを特徴とする装置。
【請求項１１】
電子カメラ（１）を較正するための、ディスプレイとオペレーティングシステムを含む、データ処理システム（４）であって、
光学刺激を選択（２０４）するための手段と、
前記光学刺激を電気通信手段（２５）を介して前記カメラ（１）に伝送（２０４）するための手段と、
前記カメラ（１）によって捕捉（２０７）された画像を電気通信手段（２５）を介して受信（２０８）するための手段と、
前記画像を評価（２１１）するための手段と、
前記画像の前記評価（２１１）に基づいて、カメラの特性に影響を及ぼすパラメータを決定（２１４）するための手段と、
前記パラメータを電気通信手段（２５）を介して前記カメラ（１）に伝送（２０２）するための手段と、を備えることを特徴とするデータ処理システム（４）。
【請求項１２】
記録されたプログラムを有するコンピュータにて読出し可能な媒体であって、前記プログラムがコンピュータに対して、以下の手続を実行すること、つまり、
光学刺激を選択（２０４）すること、
前記光学刺激を電気通信手段（２５）を介して前記カメラ（１）に伝送（２０４）すること、
前記カメラ（１）によって捕捉（２０７）された画像を電気通信システム（２５）を介して受信（２０８）すること、
前記画像を評価（２１１）すること、
前記画像の評価（２１１）に基づいて、カメラの特性に影響を及ぼすパラメータを決定（２１４）すること、及び
前記パラメータを電気通信手段（２５）を介して前記カメラ（１）に伝送（２０２）すること、を命令することを特徴とするコンピュータにて読出し可能な媒体。
【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
複数の画像のうち幾つかが予測画像である、前記複数の画像を含むビデオの一部分を低速前進トリック・モードで再生するために最適化された方法であって、
低速前進（スロー・フォワード）トリック・モードのコマンドを受信するステップと、
正しく復号化された予測画像を前記複数の画像の最初の一組から得る前に、前記複数の画像の最初の一組の表示を禁止するステップと、
から成る、前記低速前進トリック・モードで再生するために最適化された方法。
【請求項２】
正しく復号化された予測画像を複数の画像の最初の一組から得るために、前記複数の画像の最初の一組を選択的に復号化するステップを含む、請求項１記載の低速前進トリック・モードで再生するために最適化された方法。
【請求項３】
後続の正しく復号化された画像を得るために、正しく復号化された予測画像を使用して、前記ビデオの一部分の後続の画像を復号化するステップを含む、請求項２記載の低速前進トリック・モードで再生するために最適化された方法。
【請求項４】
スローモーション速度に従って、正しく復号化された予測画像および正しく復号化された後続の各画像を数回表示するステップを含む、請求項３記載の低速前進トリック・モードで再生するために最適化された方法。
【請求項５】
複数の画像の最初の一組が複数の予測画像を含み、選択的に復号化する前記ステップが、正しく復号化された予測画像を前記複数の画像の最初の一組から得るために、前記最初の一組における予測画像だけを復号化するステップを含む、請求項２記載の低速前進トリック・モードで再生するために最適化された方法。
【請求項６】
複数の画像において、各予測画像がＩ（Ｉｎｔｒａ：イントラ）マクロブロックを含み、前記予測画像のうちの所定数を復号化することにより、正しく復号化された予測画像が得られ、前記所定数は、前記各予測画像におけるＩマクロブロックの量に部分的に基づく、請求項５記載の低速前進トリック・モードで再生するために最適化された方法。
【請求項７】
前記ビデオの一部分が、Ｉ画像を含まない、請求項１記載の低速前進トリック・モードで再生するために最適化された方法。
【請求項８】
複数の画像のうち幾つかが予測画像である、前記複数の画像を含むビデオの一部分を低速前進トリック・モードで再生するために最適化されたシステムであって、
前記ビデオの一部分を受信するコントローラと、
ビデオ・プロセッサと、
を含み、
前記プロセッサは、低速前進トリック・モードのコマンドを受信するようプログラムされ、且つ正しく復号化された予測画像を前記複数の画像の最初の一組から得る前に、前記複数の画像の最初の一組の表示を禁止するようにプログラムされる、前記低速前進トリック・モードで再生するために最適化されたシステム。
【請求項９】
正しく復号化された予測画像を複数の画像の最初の一組から得るために、前記ビデオ・プロセッサが、前記複数の画像の最初の一組を選択的に復号化するようにプログラムされる、請求項８記載の低速前進トリック・モードで再生するために最適化されたシステム。
【請求項１０】
後続の正しく復号化された画像を得るために、正しく復号化された予測画像を使用して、前記ビデオの一部分における後続の画像を復号化するように前記ビデオ・プロセッサがプログラムされる、請求項９記載の低速前進トリック・モードで再生するために最適化されたシステム。
【請求項１１】
スローモーション再生速度に従って、正しく復号化された予測画像および正しく復号化された後続の各画像を数回表示するよう前記ビデオ・プロセッサがプログラムされる、請求項１０記載の低速前進トリック・モードで再生するために最適化されたシステム。
【請求項１２】
複数の画像の最初の一組が複数の予測画像を含み、前記ビデオ・プロセッサが、正しく復号化された予測画像を前記複数の画像の最初の一組から得るために、前記最初の一組の予測画像だけを復号化するようプログラムされる、請求項９記載の低速前進トリック・モードで再生するために最適化されたシステム。
【請求項１３】
複数の画像における各予測画像が、Ｉ（Ｉｎｔｒａ：イントラ）マクロブロックを含み、前記ビデオ・プロセッサが、前記予測画像のうちの所定数を復号化することにより、正しく復号化された予測画像を得るようプログラムされ、前記所定数は、前記各予測画像におけるＩマクロブロックの量に部分的に基づく、請求項１２記載の低速前進トリック・モードで再生するために最適化されたシステム。
【請求項１４】
前記ビデオの一部分が、Ｉ画像を含まない、請求項８記載の低速前進トリック・モードで再生するために最適化されたシステム。
【手続補正２】
【補正対象書類名】明細書
【補正対象項目名】発明の名称
【補正方法】変更
【補正の内容】
【発明の名称】低速前進トリック・モードで再生するために最適化された方法およびシステム
【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】  ＡＨ１０２，ＡＨ１０３，ＡＨ１０５，ＡＨ１０９またはＡＨ１１０のいずれかから選択されたラクトバチラスサリバリウス（Ｌａｃｔｏｂａｃｉｌｌｕｓ  ｓａｌｉｖａｒｉｕｓ）株またはその変異体類またはバリアント類。
【請求項２】  ラクトバチラスサリバリウス株ＡＨ１０２またはその変異体またはバリアント。
【請求項３】  ラクトバチラスサリバリウス株ＡＨ１０３またはその変異体またはバリアント。
【請求項４】  ラクトバチラスサリバリウス株ＡＨ１０５またはその変異体またはバリアント。
【請求項５】  ラクトバチラスサリバリウス株ＡＨ１０９またはその変異体またはバリアント。
【請求項６】  ラクトバチラスサリバリウス株ＡＨ１１０またはその変異体またはバリアント。
【請求項７】  前記変異体が遺伝的に修飾された変異体である全ての先行請求項に記載のラクトバチラスサリバリウス株。
【請求項８】  前記バリアントがラクトバチラスサリバリウスの天然のバリアントである全ての先行請求項に記載のラクトバチラスサリバリウス株。
【請求項９】  株類ＡＨ１０２，ＡＨ１０３，ＡＨ１０５，ＡＨ１０９またはＡＨ１１０のいずれかから選択されたラクトバチラスサリバリウス株の生物学的に純粋な培養物。
【請求項１０】  生細胞の形状である全ての先行請求項に記載のラクトバチラスサリバリウス株。
【請求項１１】  非生細胞の形状である全ての先行請求項に記載のラクトバチラスサリバリウス株。
【請求項１２】  前記株が切除し洗浄したヒト消化管から単離される請求項１乃至１１のいずれかに記載のラクトバチラスサリバリウス株。
【請求項１３】  前記株がヒトにおける経口的消費後において有意に免疫調節性である全ての先行請求項に記載のラクトバチラスサリバリウス株。
【請求項１４】  請求項１乃至１３のいずれかに記載の株類の少なくとも１種を含む製剤。
【請求項１５】  別のプロバイオティック物質、プレバイオティック物質、および／または、カプセル、錠剤もしくは散剤、もしくは酸性化させたミルク、ヨーグルト、冷凍ヨーグルト、粉ミルク、ミルク濃縮物、チーズスプレッド類、ドレッシング類または飲料類のような食品のような薬学的に許容できる担体のような摂取可能な担体を含む請求項１４に記載の製剤。
【請求項１６】  さらに、蛋白質および／またはペプチド、特にグルタミン／グルタメートを多量に含む蛋白質類および／またはペプチド類、脂質、炭水化物、ビタミン、ミネラルおよび／または微量元素を含む請求項１５に記載の製剤。
【請求項１７】  前記ラクトバチラスサリバリウス株が、前記製剤１ｇ当たり１０６ｃｆｕを超えた量で存在する請求項１４乃至１６のいずれかに記載の製剤。
【請求項１８】  アジュバント、細菌性成分、薬物体、および／または生体化合物を含む請求項１４乃至１７のいずれかに記載の製剤。
【請求項１９】  免疫化およびワクチン化プロトコール類に使用するための請求項１４乃至１８のいずれかに記載の製剤。
【請求項２０】  食品中で使用するための、医薬品として使用するための、望ましくない炎症活性の予防および／または治療に使用するための、クローン病もしくは潰瘍性大腸炎のような炎症性腸疾患；過敏性腸症候群；嚢炎；もしくは感染後大腸炎のような望ましくない消化管炎症活性の予防および／もしくは治療に使用するための、消化管腫瘍（類）の予防および／もしくは治療に使用するための、リウマチ性関節炎のような全身疾患の予防および／もしくは治療に使用するための、望ましくない炎症活性による自己免疫疾患類の予防および／もしくは治療に使用するための、望ましくない炎症活性による腫瘍の予防および／もしくは治療に使用するための、腫瘍の予防に使用するための、クロストリジウムディフィシレ（Ｃｌｏｓｔｒｉｄｉｕｍ  ｄｉｆｆｉｃｉｌｅ）関連下痢、ロタウイルス（Ｒｏｔａｖｉｒｕｓ）関連下痢、もしくは感染後下痢、もしくは大腸菌のような感染性物質による下痢疾患のような望ましくない炎症活性による下痢疾患の予防および／もしくは治療に使用するための、望ましくない炎症活性の予防および／もしくは治療用抗炎症バイオセラピー剤の調製に使用するための、前炎症性微生物類に拮抗し消化管から排除することによって前記株類が作用するような、前炎症性サイトカイン類のレベル低下用抗炎症バイオセラピー剤の調製に使用するための、または、ＩＬ−８のレベル低下用抗炎症バイオセラピー剤の調製に使用するための請求項１乃至１３のいずれかに記載のラクトバチラスサリバリウス株または請求項１４乃至１８のいずれかに記載の製剤。
【請求項２１】  ＩＦＮγのレベル修飾用抗炎症バイオセラピー剤の調製に使用するためのＡＨ１０２、ＡＨ１０３またはＡＨ１０５のいずれかひとつから選択されたラクトバチラスサリバリウス株。
【請求項２２】  ＴＮＦαのレベル修飾用抗炎症バイオセラピー剤の調製に使用するためのラクトバチラスサリバリウス株ＡＨ１１０。
【請求項２３】  ＡＨ１０２，ＡＨ１０３、ＡＨ１０５，ＡＨ１０９およびＡＨ１１０のいずれかから選択されたラクトバチラスサリバリウス株の抗感染性プロバイオティック株類としての用途。
【請求項２４】  対象における望ましくない炎症活性または炎症性疾患を治療または予防する方法で、前記対象に対して請求項１乃至１３のいずれかに記載のラクトバチラスサリバリウス株または請求項１４乃至２０のいずれかに記載の製剤を投与することを含み、前記望ましくない炎症活性が消化管炎症活性であり、クローン病もしくは潰瘍性大腸炎のような炎症性腸疾患；過敏性腸症候群；嚢炎；もしくは感染後大腸炎であり、または過敏性腸症候群である方法。
【請求項２５】  対象における腫瘍を治療または予防する方法で、前記対象に対して請求項１乃至１３のいずれかに記載のラクトバチラスサリバリウス株または請求項１４乃至２０のいずれかに記載の製剤を投与することを含み、前記腫瘍が消化管腫瘍または炎症による腫瘍である方法。
【請求項２６】  対象における炎症関連全身疾患を治療または予防する方法で、前記対象に対して請求項１乃至１３のいずれかに記載のラクトバチラスサリバリウス株または請求項１４乃至２０のいずれかに記載の製剤を投与することを含み、前記全身疾患がリウマチ性関節炎である方法。
【請求項２７】  対象における炎症によって起こった自己免疫疾患を治療または予防する方法で、前記対象に対して請求項１乃至１３のいずれかに記載のラクトバチラスサリバリウス株または請求項１４乃至２０のいずれかに記載の製剤を投与することを含む。
【請求項２８】  対象における下痢疾患を治療または予防する方法で、前記対象に対して請求項１乃至１３のいずれかに記載のラクトバチラスサリバリウス株または請求項１４乃至２０のいずれかに記載の製剤を投与することを含み、前記下痢疾患が、クロストリジウムディフィシレ関連下痢、ロタウイルス関連下痢、感染後下痢または大腸菌のような感染性物質による下痢疾患である方法。
【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
不活性化可能な殺生剤を含有するバラスト水を処分する方法であって、
ａ）第一の場所からのバラスト水を有する船舶を用意し、該バラスト水が不活性化可能な殺生剤を含有し、該不活性化可能な殺生剤がアルデヒド又はアルキンであるステップ、
ｂ）有効量の中和剤をバラスト水に加えて、殺生剤を不活性化するステップであって、該殺生剤がアルデヒドであるとき、該中和剤は、アミン、アミノ酸、アミノアルコール、及びそれらの混合物からなる群より選択される窒素含有化合物であり、該殺生剤がアルキンであるとき、該中和剤は水素化触媒及びＨ２である、上記ステップ、及び
ｃ）第二の場所において船舶からバラスト水を排出するステップ
を含む、上記方法。
【請求項２】
船舶のバラスト水システムにおける微生物の成長及び繁殖を阻害する方法であって、
ａ）第一の自然環境からバラスト水システムにバラスト水を提供するステップ、
ｂ）有効量の不活性化可能な殺生剤をバラスト水に加え、該不活性化可能な殺生剤がアルデヒド又はアルキンであるステップ、
ｃ）有効量の中和剤をバラスト水に加えて、バラスト水の排出前又は排出時には殺生剤を不活性化するステップであって、該殺生剤がアルデヒドであるとき、該中和剤は、アミン、アミノ酸、アミノアルコール、及びそれらの混合物からなる群より選択される窒素含有化合物であり、該殺生剤がアルキンであるとき、該中和剤は水素化触媒及びＨ２である、上記ステップ、及び
ｄ）殺生剤が不活性化された後、第二の自然環境中にバラスト水の少なくとも一部を排出するステップ
を含む、上記方法。
【請求項３】
バラスト水を介する第一の場所から第二の場所への１種又は複数の生命体の移動を制限する方法であって、
ａ）バラスト水タンクを有する船舶を用意するステップ、
ｂ）第一の場所からのバラスト水と有効量の不活性化可能な殺生剤をバラスト水タンク中で混合し、該不活性化可能な殺生剤がアルデヒド又はアルキンであるステップ、
ｃ）有効量の中和剤をバラスト水と接触させて、殺生剤を不活性化するステップであって、該殺生剤がアルデヒドであるとき、該中和剤は、アミン、アミノ酸、アミノアルコール、及びそれらの混合物からなる群より選択される窒素含有化合物であり、該殺生剤がアルキンであるとき、該中和剤は水素化触媒及びＨ２である、上記ステップ、及び
ｄ）第二の場所においてバラスト水の少なくとも一部を排出するステップ
を含む、上記方法。
【請求項４】
ステップ（ｂ）においてバラスト水と混合される不活性化可能な殺生剤の量が、認定された種菌に曝露されたとき、周囲条件下において、少なくとも１０日間、微生物の目に見える成長を阻むのに有効な量である、請求項３に記載の方法。
【請求項５】
ステップ（ｂ）においてバラスト水と混合される不活性化可能な殺生剤の量が、９６時間以内に所定の生命体の５０％を殺すのに有効な量である、請求項３に記載の方法。
【請求項６】
所定の生命体が、ゼブラガイ、渦鞭毛藻類、及びコレラ菌からなる群より選択される、請求項５に記載の方法。
【請求項７】
殺生剤が、少なくとも１００ｐｐｍの量で加えられる、請求項３に記載の方法。
【請求項８】
バラスト水を介するある場所から別の場所への１種又は複数の生命体の移動を制限する方法であって、
ａ）バラスト水タンク及び貨物タンクを有する船舶を用意するステップ、
ｂ）フィッシャー−トロプシュ合成プロセスからフィッシャー−トロプシュ由来液体生成物及びフィッシャー−トロプシュ由来の不活性化可能な殺生剤を合成するステップ、
ｃ）第一の場所において、１種又は複数のフィッシャー−トロプシュ由来液体生成物を貨物タンクに、フィッシャー−トロプシュ由来の不活性化可能な殺生剤をバラスト水タンク又は船舶の殺生剤保管区域に加えるステップ、
ｄ）貨物タンク中の１種又は複数のフィッシャー−トロプシュ由来液体生成物を第二の場所に送達するステップ、
ｅ）第二の場所からのバラスト水と有効量の不活性化可能な殺生剤を、バラスト水タンク中で混合するステップ、
ｆ）有効量の中和剤をバラスト水に加えて、殺生剤を不活性化するステップ、及び
ｇ）第一の場所又は第三の場所においてバラスト水の少なくとも一部を排出するステップ
を含む、上記方法。
【請求項９】
ステップ（ｅ）においてバラスト水と混合される不活性化可能な殺生剤の量が、認定された種菌に曝露されたとき、周囲条件下において、少なくとも１０日間、微生物の目に見える成長を阻むのに有効な量である、請求項８に記載の方法。
【請求項１０】
ステップ（ｅ）においてバラスト水と混合される不活性化可能な殺生剤の量が、９６時間以内に所定の生命体の５０％を殺すのに有効な量である、請求項８に記載の方法。
【請求項１１】
バラスト水を介する最初の場所から最後の場所への１種又は複数の生命体の移動を制限する方法であって、
ａ）バラスト水タンクを有する船舶を用意するステップ、
ｂ）最初の場所からの水をバラスト水タンクに加えるステップ、
ｃ）中間的な場所においてバラスト水の一部を排出するステップ、
ｄ）最初の場所からの水の残部に、有効量の不活性化可能な殺生剤を加え、該不活性化可能な殺生剤がアルデヒド又はアルキンであるステップ、
ｅ）中間的な場所からの水をバラスト水タンクに加えるステップ、
ｆ）有効量の中和剤をバラスト水に加えて、殺生剤を不活性化するステップであって、該殺生剤がアルデヒドであるとき、該中和剤は、アミン、アミノ酸、アミノアルコール、及びそれらの混合物からなる群より選択される窒素含有化合物であり、該殺生剤がアルキンであるとき、該中和剤は水素化触媒及びＨ２である、上記ステップ、及び
ｇ）最後の場所においてバラスト水の少なくとも一部を排出するステップ
を含む、上記方法。
【請求項１２】
ステップ（ｄ）においてバラスト水に加えられる不活性化可能な殺生剤の量が、認定された種菌に曝露されたとき、周囲条件下において、少なくとも１０日間、微生物の目に見える成長を阻むのに有効な量である、請求項１１に記載の方法。
【請求項１３】
ステップ（ｄ）においてバラスト水に加えられる不活性化可能な殺生剤の量が、９６時間以内に所定の生命体の５０％を殺すのに有効な量である、請求項１１に記載の方法。
【請求項１４】
殺生剤がアルデヒドであり、中和剤が、アミン、アミノ酸、アミノアルコール、及びそれらの混合物からなる群より選択される窒素含有化合物である、請求項１、３、８又は１１に記載の方法。
【請求項１５】
殺生剤がアルキンであり、中和剤が水素化触媒及びＨ２である、請求項１、３、８又は１１に記載の方法。
【請求項１６】
中和剤が加えられた後、バラスト水が、周囲条件下において、認定された種菌、成長培地、及び速やかに生分解可能な物質に曝露されたとき、１０日未満の間微生物の目に見える成長を支える、請求項１、３、８又は１１に記載の方法。
【請求項１７】
殺生剤がグルタルアルデヒドであり、窒素含有化合物が、モノエタノールアミン、ジエタノールアミン、メチルジエタノールアミン、及びジエチルアミンからなる群より選択される、請求項１４に記載の方法。